(57)【要約】  パイプライン又はパイプなどの細長部材のためのガイド装置１２である。装置１２は、細長部材がそれを通って延在する中央開口１６を有するリングの形態の複数の第１の要素１０を備える。第１の要素１０は、第１の要素１０の外側に間隔をあけて配置され、Ｔ字形の断面のガイド構成部２０に配置されたリンク部材４４によって相互接続されている。リンク部材４４は、第１の要素１０の間の回動量、ひいては細長部材の曲げ量を制限する。
2019515204.tif 000002
【特許請求の範囲】
【請求項１】
細長部材のためのガイド装置であって、前記細長部材の長さに沿って互いに隣接して配置可能であり、各要素が前記細長部材の周りに延在する複数の要素と、隣接する要素間に設けられ、前記要素の周りに互いに間隔をあけて配置され、前記装置が前記細長部材の制限された曲げを可能にするように前記各要素の制限された離隔動作を可能にする複数の細長リンク部材とを備える、ガイド装置。
【請求項２】
前記要素が前記リンク部材に対して摺動可能に移動可能である、請求項１に記載のガイド装置。
【請求項３】
ガイド構成部が前記要素上に設けられ、前記リンク部材が前記ガイド構成部を介して摺動可能に延在する、請求項２に記載のガイド装置。
【請求項４】
前記ガイド構成部が、狭い開口と、前記装置の形成中にリンク部材が前記開口を通過した後に前記リンク部材を受け入れるための広い主要部とを有する略Ｔ字形の断面を有する、請求項３に記載のガイド装置。
【請求項５】
前記リンク部材が、複数の長さのある平面材料を備える、請求項１〜４のいずれか一項に記載のガイド装置。
【請求項６】
前記リンク部材が、複数の隣接する要素に沿って且つそれらの間に延在する、請求項１〜５のいずれか一項に記載のガイド装置。
【請求項７】
前記リンク部材と前記要素との間の移動量を制限するように制限構成部が前記リンク部材に設けられる、請求項１〜６のいずれか一項に記載のガイド装置。
【請求項８】
前記制限構成部が隣接する要素間に位置する、請求項７に記載のガイド装置。
【請求項９】
前記曲げの内側において、前記装置が曲げられたときに前記隣接する要素の端部に係合可能な外向きに延在する係合部材が前記要素の端部に設けられる、請求項１〜８のいずれか一項に記載のガイド装置。
【請求項１０】
前記係合部材が、前記要素の残りの部分と一体的に形成される、請求項９に記載のガイド装置。
【請求項１１】
前記係合部材が、前記各要素の前記端部に設けられた複数の別個の部材の形態である、請求項９に記載のガイド装置。
【請求項１２】
前記係合部材がパッドの形態である、請求項１１に記載のガイド装置。
【請求項１３】
前記係合部材が、各要素の端部に選択的に取り付け可能である、請求項１１又は１２に記載のガイド装置。
【請求項１４】
前記係合部材が弾性材料から形成される、請求項１１〜１３のいずれか一項に記載のガイド装置。
【請求項１５】
前記要素が、細長部材が側部開口を通過することによってそれらが前記細長部材上に配置されることができるように前記側部開口を有する、請求項１〜１４のいずれか一項に記載のガイド装置。
【請求項１６】
前記要素が、前記細長部材が前記側方開口を通過することを可能にするようにそれらが変形されなければならないように構成される、請求項１５に記載のガイド装置。
【請求項１７】
隣接する要素が、隣接する要素の側部開口が整列しないように方向付けされる、請求項１５又は１６に記載のガイド装置。
【請求項１８】
前記要素が細長部材に取り付けられると、閉鎖部材が前記側部開口内に配置可能に設けられる、請求項１５〜１７のいずれか一項に記載のガイド装置。
【請求項１９】
前記要素が、前記細長部材の周りに閉ループを画定し、前記装置の形成中、前記要素が、必要な位置に細長部材に沿って軸方向に移動される、請求項１〜１４のいずれか一項に記載のガイド装置。
【請求項２０】
前記要素がプラスチック材料から構成される、請求項１〜１９のいずれか一項に記載のガイド装置。
【請求項２１】
前記要素がポリプロピレンから構成される、請求項２０に記載のガイド装置。
【請求項２２】
各要素には少なくとも４つのリンク部材が設けられる、請求項１〜２１のいずれか一項に記載のガイド装置。
【請求項２３】
各要素には５つ又は６つのリンク部材が設けられる、請求項２２に記載のガイド装置。
【請求項２４】
前記要素が２つの部品から形成される、請求項１〜２３のいずれか一項に記載のガイド装置。
【請求項２５】
前記２つの部品が同一である、請求項２４に記載のガイド装置。
【請求項２６】
前記２つの部品が、前面と内面及び外面とを有する開放構成と、それらの間のウェブの骨組みとを有する、請求項２４又は５に記載のガイド装置。
【請求項２７】
前記要素内の前記細長部材の周りに配置可能にスリーブ部材が設けられる、請求項１〜２６のいずれか一項に記載のガイド装置。
【請求項２８】
前記スリーブ部材が、前記要素よりも柔らかい材料から形成される、請求項２７に記載のガイド装置。
【請求項２９】
前記スリーブ部材の変形によって細長部材上の配置を可能にするように側部開口が前記スリーブ部材に設けられる、請求項２７又は２８に記載のガイド装置。
【請求項３０】
前記要素が各リムの間に位置するように、前記スリーブ部材の長さに沿って間隔をあけたリムが設けられる、請求項２７〜２９のいずれか一項に記載のガイド装置。
【請求項３１】
前記スリーブ部材が前記要素上にオーバーモールドされる、請求項２７〜３０のいずれか一項に記載のガイド装置。
【請求項３２】
個々の各スリーブ部材が、隣接する要素の各対の間に延在して設けられる、請求項２７又は２８に記載のガイド装置。
【請求項３３】
前記個々のスリーブ部材の端部が係合する構成部が前記要素に設けられる、請求項３２に記載のガイド装置。
【請求項３４】
前記構成部が段差の形態である、請求項３３に記載のガイド装置。
【請求項３５】
前記要素の一方側が個々のスリーブ部材を組み込む雄型を有するように、前記個々のスリーブ部材がその形成中に前記要素に組み込まれ、前記側部が、個々のスリーブ部材を有しない雌型を有するさらなる要素の側部に隣接して配置可能である、請求項３２〜３４のいずれか一項に記載のガイド装置。
【請求項３６】
前記リンク部材が、ストラップ、ロープ又はピンの形態である、請求項１〜３５のいずれか一項に記載のガイド装置。
【請求項３７】
前記リンク部材が弾性材料から構成される、請求項１〜３６のいずれか一項に記載のガイド装置。
【請求項３８】
前記リンク部材が、細長部材の異なる剛性を提供し及び／又は異なる撓み量を可能にするために、前記装置の異なる部分で異なっている、請求項１〜３７のいずれか一項に記載のガイド装置。
【請求項３９】
各要素上の隣接するリンク部材が、各隣接する１つの要素のみにそれぞれ接続するように互いに反対方向に延在している、請求項１〜３８のいずれか一項に記載のガイド装置。
【請求項４０】
８つのガイド部材が各要素の周りに設けられる、請求項１〜３９のいずれか一項に記載のガイド装置。
【請求項４１】
１０個のガイド部材が各要素の周りに設けられる、請求項４０に記載のガイド装置。
【請求項４２】
設置中に保護を提供するために前記装置の周りに一時的なラップが設けられる、請求項１〜４１のいずれか一項に記載のガイド装置。
【請求項４３】
前記一時的なラップが、使用中に劣化するようなものである、請求項４２に記載のガイド装置。
【発明の詳細な説明】
【技術分野】
【０００１】
本発明は、ガイド装置、特に細長部材のためのガイド装置に関する。
【背景技術】
【０００２】
多くの状況において、例えば特定の場所でパイプライン全体の曲げ量を制限するパイプラインなどの細長部材のためのガイド装置を提供することが要求されている。多くの従来の構成が提案されており、これらの１つは、相対運動を制限する相互係合構造を有する多数のリングを含む椎骨システムである。そのようなシステムでは、曲げの外側では、構成要素に張力がかかり、特に、これは構成の故障をもたらす可能性がある。
【発明の概要】
【課題を解決するための手段】
【０００３】
本発明の態様によれば、細長部材のためのガイド装置であって、細長部材の長さに沿って互いに隣接して配置可能であり、各要素が細長部材の周りに延在する複数の要素と、隣接する要素間に設けられ、要素の周りに互いに間隔をあけて配置され、装置が細長部材の制限された曲げを可能にするように各要素の制限された離隔動作を可能にする複数の細長リンク部材とを備える、ガイド装置が提案される。
【０００４】
要素は、リンク部材に対して摺動可能に移動可能とすることができ、ガイド構成部が要素に設けられることができ、リンク部材がガイド構成部を介して摺動可能に延在する。ガイド構成部は、狭い開口と、装置の形成中にリンク部材が開口を通過した後にリンク部材を受け入れるための広い主要部とを有する略Ｔ字形の断面を有することができる。リンク部材は、複数の長さのある平面材料を備えることができる。
【０００５】
リンク部材は、複数の隣接する要素に沿って且つそれらの間に延在することができる。リンク部材と要素との間の移動量を制限するように制限構成部がリンク部材に設けられることができ、隣接する要素間に位置することができる。
【０００６】
曲げの内側において、装置が曲げられたときに隣接する要素の端部に係合可能な外向きに延在する係合部材が要素の端部に設けられることができる。
【０００７】
１つの構成では、係合部材は、要素の残りの部分と一体的に形成される。
【０００８】
さらなる構成では、係合部材は、各要素の端部に設けられた複数の別個の部材の形態であり、係合部材は、パッドの形態とすることができる。
【０００９】
係合部材は、各要素の端部に選択的に取り付け可能とすることができる。
【００１０】
係合部材は、弾性材料から形成されることができる。
【００１１】
一実施形態では、要素は、細長部材が側部開口を通過することによってそれらが細長部材上に配置されることができるように側部開口を有し、要素は、細長部材が側部開口を通過することを可能にするようにそれらが変形されなければならないように構成されることができる。隣接する要素は、隣接する要素の側部開口が整列しないように方向付けられることができる。要素が細長部材に取り付けられると、閉鎖部材が側部開口内に配置可能に設けられることができる。
【００１２】
さらなる実施形態では、要素は、細長部材の周りに閉ループを画定し、装置の形成中、要素は、必要な位置に細長部材に沿って軸方向に移動される。
【００１３】
要素は、プラスチック材料から構成されることができ、ポリプロピレンから構成されることができる。
【００１４】
各要素には少なくとも４つのリンク部材が設けられてもよく、各要素には５つ又は６つのリンク部材が設けられてもよい。
【００１５】
要素は、２つの部品から形成されてもよく、これらの部品は、同一であってもよい。部品は、前面と内面及び外面とを有する開放構成と、それらの間のウェブの骨組みとを有することができる。
【００１６】
要素内の細長部材の周りに配置可能にスリーブ部材が設けられることができる。スリーブ部材は、要素よりも柔らかい材料から形成されることができ、スリーブ部材の変形によって細長部材上の配置を可能にするように側部開口がスリーブ部材に設けられることができる。要素が各リムの間に位置するように、スリーブ部材の長さに沿って間隔をあけたリムが設けられることができる。
【００１７】
一実施形態では、スリーブ部材は、要素上にオーバーモールドされてもよい。
【００１８】
１つの構成では、個々の各スリーブ部材は、隣接する要素の各対の間に延在して設けられてもよく、個々のスリーブ部材の端部が係合する段差の形態とすることができる構成部が要素に設けられてもよい。
【００１９】
要素の一方側が個々のスリーブ部材を組み込む雄型を有するように、個々のスリーブ部材がその形成中に要素に組み込まれることができ、側部は、個々のスリーブ部材を有しない雌型を有するさらなる要素の側部に隣接してシール可能である。
【００２０】
リンク部材は、ストラップ、ロープ又は代替的にピンの形態であってもよく、弾性材料から構成されてもよい。
【００２１】
リンク部材は、細長部材の異なる剛性を提供し及び／又は異なる撓み量を可能にするために、装置の異なる部分で異なっていてもよい。
【００２２】
１つの構成では、各要素上の隣接するリンク部材は、各隣接する１つの要素のみにそれぞれ接続するように互いに反対方向に延在している。
【００２３】
少なくとも８つ、１つの例では１０個のガイド部材が各要素の周りに設けられてもよい。
設置中に保護を提供するために装置の周りに一時的なラップが設けられてもよく、一時的なラップは、使用中に劣化するようなものであってもよい。
【００２４】
ここで、本発明の実施形態が単なる例として且つ添付の図面を参照して説明される。
【図面の簡単な説明】
【００２５】
【図１】図１は、本発明にかかる第１の要素の概略斜視図である。
【図２】図２は、図１の第１の要素の部品の反対側からの斜視図である。
【図３】図３は、図１の第１の要素の部品の反対側からの斜視図である。
【図４】図４は、互いに整列された図２及び図３の部品を示す斜視図である。
【図５】図５は、本発明にかかるスリーブ部材の概略斜視図である。
【図６】図６は、ともに取り付けられた図１〜図５のスリーブの第１の要素を示す概略斜視図である。
【図７】図７は、細長部材に取り付けられた図１〜図５の第１の要素及びスリーブの側面図である。
【図８】図８は、細長部材に取り付けられた図１〜図５の第１の要素及びスリーブの斜視図である。
【図９】図９は、本発明にかかる第２の要素の部品の斜視図である。
【図１０】図１０は、本発明にかかる第２の要素の部品の正面図である。
【図１１】図１１は、本発明にかかる第３のさらなる要素の図９と同様の図である。
【図１２】図１２は、本発明にかかる第３のさらなる要素の図１０と同様の図である。
【図１３】図１３は、本発明にかかる第４の要素の端面図である。
【図１４】図１４は、本発明にかかる第４の要素の斜視図である。
【図１５】図１５は、第４の要素とともに使用可能な構成要素の斜視図である。
【図１６】図１６は、使用中の複数の第４の要素の直線状態の側面図である。
【図１７】図１７は、使用中の複数の第４の要素の曲げ状態の側面図である。
【図１８】図１８は、ともに接合された複数の第１の要素の概略断面図である。
【図１９】図１９は、本発明にかかる変更された第４の要素の部品の端面図である。
【図２０】図２０は、本発明にかかる変更された第４の要素の部品の側面図である。
【図２１】図２１は、本発明にかかる変更された第４の要素のさらなる部品の端面図である。
【図２２】図２２は、本発明にかかる変更された第４の要素のさらなる部品の斜視図である。
【図２３】図２３は、本発明にかかる変更された第４の要素の概略斜視図である。
【発明を実施するための形態】
【００２６】
図１〜図４は、本発明にかかるガイド装置１２の第１の要素１０を示している。第１の要素１０は、中央開口１６及び中央開口１６の直径よりも小さい側部開口１８を有するリングを画定する図１に示す中空体をともに形成する２つの同一部品１４から形成される。要素１０は、プラスチック材料、この場合にはポリプロピレンから構成されている。
【００２７】
６つのガイド構成部２０が第１の要素１０の周囲に等間隔で設けられ、ガイド構成部２０のそれぞれは、広い主要部２４に通じる狭い開口２２を有する略Ｔ字形の断面を有する。
【００２８】
図１〜図４から分かるように、部品１４は同一であり、前面２６及び内面２８及び外面３０を有して中空である。２つの部品１４を配置して相互接続するように他の部品１４上の各ソケット３２内に配置可能な各部品１４上に３つの直立ピン３１が設けられる。
【００２９】
係合部材は、隣接する各対のガイド構成部２０の間で等距離にある、外面３０に向かってそれぞれ配置された５つの別個の突起３４の形態で、前面２６に設けられている。突起３４は、装置１２が曲がったときに第１の要素１０が一体になるとき、滑らかな係合を確実にするために緩やかに湾曲した面を有する。
【００３０】
図５は、側部開口３８を除いて横断面が略環状のスリーブ部材３６を示している。複数の間隔をあけたリム４０がスリーブ部材３６上において第１の要素１０の厚さよりもわずかに大きく対応する距離に設けられている。スリーブ部材３６は、第１の要素１０よりも柔らかい材料から構成され、例えばポリウレタンから構成されることができる。
【００３１】
図６は、第１の要素１０が各リム４０の間に位置し、且つ隣接する第１の要素１０の側部開口１８が互いに異なって整列される、スリーブ部材３６に取り付けられた第１の要素１０を示している。
【００３２】
図７及び図８は、風力発電所又は炭化水素製造に使用されることができる、パイプライン又は例えばケーブルもしくは他のものを含むパイプなどの細長部材４２上の各スリーブ部材３６に取り付けられた８つのそのような第１の要素１０を示している。図示されているように、第１の要素１０は、側部開口１８が隣接する第１の要素１０におけるものと整列せずに取り付けられている。
【００３３】
６つの細長リンク部材４４が第１の要素１０上のガイド構成部２０のそれぞれに対して１つ設けられており、第１の要素１０が、隣接する第１の要素１０上のガイド構成部２０が互いに整列されるように方向付けされていることに留意されたい。リンク部材４４は、各ガイド構成部２０の主要部２４を通って延在するストラップを備え、端部部材４６は、最端の第１の要素１０に対して所定の位置にリンク部材４４を保持するように各端部に設けられている。
【００３４】
使用時には、装置１２は、第１の要素１０が細長部材４２の一方側でリンク部材４４に沿ってともに摺動可能に移動することによって及び反対側の第１の要素１０及びリンク部材４４の相対的な摺動移動によって摺動可能に移動して離れることによって、細長部材４２の制限された曲げを可能にする。曲げの内側では、隣接する第１の要素１０の突起３４が互いに係合し、それによって曲げ量を制限し、第１の要素１０の前面２６における損傷又は応力点を防止する。
【００３５】
この構成は、第１の要素１０が張力を受けていないが、第１の要素１０とリンク部材４４との間の相対的な摺動移動によって曲げ運動が達成されることを意味する。リンク部材４４は、いくらかの弾性を有するので、許容される曲げの最大限度において、曲げに対する抵抗量の増加を提供する。より柔らかい材料から構成されたスリーブ部材３６は、細長部材４２に対する応力点を回避する。
【００３６】
装置１２は、以下の方法で細長部材４２に取り付けられてもよい。最初に、スリーブ部材３６は、細長部材４２が側部開口３８を通過することができるようにスリーブ部材３６を変形させることによって細長部材４２に取り付けられる。次に、第１の要素１０は、細長部材４２上のスリーブ部材３６上に配置される。これは、細長部材４２が側部開口１８を通過することができるように、第１の要素１０及びスリーブ部材３６を変形させることによって達成される。第１の要素１０は、隣接する第１の要素１０上のガイド構成部２０が整列されるが、隣接する第１の要素１０上の側部開口３８は整列されず、リム４０の各対間に配置されている。
【００３７】
次に、リンク部材４４は、狭い開口２２を通ってガイド構成部２０に挿入されることができ、狭い開口２２を通過するように折り畳む必要があるが、主要部２４において平坦になる。そして、端部部材４６は、任意の適切な方法によって取り付けられる。
【００３８】
したがって、必要な位置に容易に取り付けられることができ、複数の同一構成要素を使用するガイド装置が記載されている。装置は、一般に、リンク部材及びスリーブによって、部材及び／又は細長部材に加えられる応力の領域を回避する。任意の用途に許容される曲げ量は、リンク部材及び／又は係合部材の選択によって決定される。この場合、係合部材は、要素の残りの部分と一体的に形成される。多かれ少なかれ顕著な係合部材を有する要素が必要な場合、要素を成形するために使用される工具に変更を加えることができる。
【００３９】
装置は、例えば、異なる長さ及び／又は弾性のリンク部材、及び／又は異なるサイズの係合部材を使用することによって、細長部材の長さに沿って異なる性能を提供するようにカスタマイズされることができる。
【００４０】
本発明の範囲から逸脱することなく、様々な変更を行うことができる。例えば、図９及び図１０は、第１の要素１０と同様に２つの同一部品５０から形成された第２の要素４８を示しているが、この場合、５つの等間隔のガイド構成部５２が設けられている。
【００４１】
図１１及び図１２は、同様に５つのガイド構成部５８を有して同様に２つの同一部品５６から構成された第３の要素５４を示している。この場合、第３の要素５４は、中央開口６０を有する破断していないリングを形成し、側部開口を有さず、したがって、細長部材に沿って軸方向に摺動する必要がある。
【００４２】
図１３から図１８は、示されている以外は、要素１０、４８及び５４と多くの点で類似している第４の要素６２を有するさらなる構成を示している。第４の要素６２は、同様に２つの同一部品６４から形成され、側部開口を有していない。この場合、第４の要素６２の周囲に等間隔で１０個のガイド構成部６６が設けられている。ガイド構成部６６は、同様に略Ｔ字形の断面を有する。
【００４３】
第４の要素６２の各対間に位置する個々のスリーブ７０の端部を受け入れるために、端部から短距離に間隔をあけて配置された各第４の要素の内側に、円周段差６８が設けられている。この場合も、個々のスリーブ７０は、第４の要素６２よりも柔らかい材料から構成され、例えばポリウレタンから構成されることができる。
【００４４】
図１６から図１８は、先に示したパイプ又はパイプラインなどの細長部材７２の周りにともに取り付けられた６つの第４の要素６２を示している。
【００４５】
この場合、各ガイド構成部６６にリンク部材７４が設けられているが、各リンク部材７４は、１つの第４の要素６２を隣接する第４の要素６２と接続するのみであり、リンク部材７４は、各対の第４の要素６２が１つおきのガイド構成部６６に配置された５つのリンク部材７４によって相互接続されるように、反対方向に２つの隣接する第４の要素６２を交互に相互接続する。リンク部材７４は、ガイド構成部６６の端部に係合するようにオーバーモールドされた端部を有するストラップの形態である。
【００４６】
使用時には、リンク部材７４は、最小曲げ半径を制限するように張力下で良好に機能する。個々のスリーブ７０は、構成が曲がって第４の要素間のシアー抵抗を向上させるのに役立ち且つ第４の要素が互いに確実に回動することを保証する。
【００４７】
個々のスリーブ７０は、その射出成形中に第４の要素６２の部品６４に組み込まれることができる。これは、個々のスリーブが製造中に段差６８に取り付けられた図１９及び図２０に示すような雄部７６を製造する。図２１及び図２２に示すように、部品６４と同様の雌部７８が設けられ、雄部７６における個々のスリーブ７０は、雌部７８における段差６８に受け入れられることができる。
【００４８】
２つの部品７６、７８は、図２３に示すように、一体の個々のスリーブ７０を有する第４の要素８０を形成するように、同一部品６４のように互いに接合されることができる。
【００４９】
５つ、６つ又は１０個のガイド構成部の例が示されているが、異なる数のガイド構成部が提供されることができる。装置の性能を変化させるために、ガイド構成部の深さが変化されることができる。これは、示されたものよりも深いガイド構成部を有し且つ深さを低減させる必要がある場合には構成部にインサートを設けることによって達成されることができる。
【００５０】
リンク部材は、異なる形態をとることができ、例えば、ロープ又はピンの形態とすることができる。隣接する部材間の移動を制限するために、隣接する要素間に配置可能なリンク部材の長さに沿って制限構成部が設けられることができる。
【００５１】
あるいは、示されているように、隣接する要素間に個々のリンク部材が設けられることができる。例えば特定の点での細長部材のより小さい曲げを可能にするため、及び例えば細長部材が物品、又はおそらくさらなる細長部材に取り付け可能である端部位置など、異なるタイプ、又は異なる長さのリンク部材が装置に沿った異なる場所に設けられることができる。
【００５２】
係合部材は、異なる形態をとってもよい。例えば、係合部材は、要素に結合又は取り付けられることができ、係合部材は、パッドの形態にすることができる。係合部材は、要素とは異なる材料から構成されてもよく、弾性材料から構成されることができる。
【００５３】
スリーブ部材は、要素の内側にオーバーモールドされてもよい。要素に側部開口が設けられる場合、細長部材に取り付けられた後、閉鎖部品が側部開口に配置可能とすることができる。例えば設置中に保護を提供するために、装置に一時的なラップが設けられることができる。一時的なラップは、使用中に劣化する材料から構成されてもよい。
【００５４】
特に重要であると考えられる本発明の特徴に注意を引くように上記明細書において努力しているが、本特許出願人は、特に強調されているか否かにかかわらず、先に言及された及び／又は図面において示された全ての特許性のある特徴又は特徴の組み合わせに対して保護を主張することが理解されるべきである。
【図１】
2019515204.tif 000003
【図２】
2019515204.tif 000004
【図３】
2019515204.tif 000005
【図４】
2019515204.tif 000006
【図５】
2019515204.tif 000007
【図６】
2019515204.tif 000008
【図７】
2019515204.tif 000009
【図８】
2019515204.tif 000010
【図９】
2019515204.tif 000011
【図１０】
2019515204.tif 000012
【図１１】
2019515204.tif 000013
【図１２】
2019515204.tif 000014
【図１３】
2019515204.tif 000015
【図１４】
2019515204.tif 000016
【図１５】
2019515204.tif 000017
【図１６】
2019515204.tif 000018
【図１７】
2019515204.tif 000019
【図１８】
2019515204.tif 000020
【図１９】
2019515204.tif 000021
【図２０】
2019515204.tif 000022
【図２１】
2019515204.tif 000023
【図２２】
2019515204.tif 000024
【図２３】
2019515204.tif 000025
【国際調査報告】
2019515204.tif 000026
2019515204.tif 000027
2019515204.tif 000028